(57)【要約】  釣り用ルアー、及び釣り用ルアーを製造する方法。釣り用ルアーは、少なくとも２種類の異なる材料から構成された本体を有する。材料の一方は、他方の材料よりも少なくとも２倍大きな密度を有する。本方法は、結果として得られる釣り用ルアー本体が特定の重心を有するように、２種類の材料を型キャビティ内に配置することを含む。
2012513756.tif 000002
【特許請求の範囲】
【請求項１】
釣り用ルアーであって、
ａ）一体形成された第１及び第２の本体部分を含むルアー本体であって、前記第１の本体部分が第１の材料から製造され、前記第２の本体部分が前記第１の材料とは異なる第２の材料から製造され、前記第２の材料が前記第１の材料の比重よりも少なくとも１．５倍大きい比重を有するルアー本体
を備え、
ｂ）前記釣り用ルアーの密度は使用中一定のままである、
釣り用ルアー。
【請求項２】
前記ルアー本体が、前記第１及び第２の材料のみから製造される、請求項１に記載の釣り用ルアー。
【請求項３】
前記ルアー本体の少なくとも一部分を覆う外層をさらに備える、請求項２に記載の釣り用ルアー。
【請求項４】
前記外層がペイント層である、請求項３に記載の釣り用ルアー。
【請求項５】
前記釣り用ルアーがある体積を規定し、前記体積の大部分が前記第１及び第２の本体部分によって規定される、請求項１に記載の釣り用ルアー。
【請求項６】
前記ルアー本体が概ね細長い形状を有し、前記細長いルアー本体の前端が前記第２の本体部分によって規定され、前記細長いルアー本体の後端が前記第１の本体部分によって規定される、請求項１に記載の釣り用ルアー。
【請求項７】
前記ルアー本体が、１立方センチメートル当たり約３．３グラム未満の比重を有する概ね球形の形状の第１の本体部分を有し、前記第２の本体部分が、１立方センチメートル当たり約５．０グラムよりも大きな比重を有する、請求項１に記載の釣り用ルアー。
【請求項８】
前記第２の本体部分が先導ルアー部分を規定し、前記第１の本体部分が追従ルアー部分を規定し、前記先導ルアー部分が前記追従ルアー部分の沈降速度よりも大きな沈降速度を有する、請求項１に記載の釣り用ルアー。
【請求項９】
前記ルアー本体が、１立方センチメートル当たり約０．３〜１２．０グラムの比重を有する、請求項１に記載の釣り用ルアー。
【請求項１０】
前記第２の本体部分が、１立方センチメートル当たり少なくとも約５．０グラムの比重を有する、請求項９に記載の釣り用ルアー。
【請求項１１】
前記第１の本体部分が、前記本体材料の密度を低減する追加材料を有し、前記第２の本体部分が、前記本体材料の密度を高める追加材料を有する、請求項９に記載の釣り用ルアー。
【請求項１２】
前記第２の材料の比重が、前記第１の材料の比重よりも少なくとも２倍大きい、請求項１に記載の釣り用ルアー。
【請求項１３】
前記第２の材料の比重が、前記第１の材料の比重よりも少なくとも３倍大きい、請求項１に記載の釣り用ルアー。
【請求項１４】
前記第２の材料が、１立方センチメートル当たり少なくとも約５．０グラムの比重を有し、前記第１の材料が、１立方センチメートル当たり約２．０グラム未満の比重を有する、請求項１に記載の釣り用ルアー。
【請求項１５】
前記第２の材料の比重が１立方センチメートル当たり約７．６グラムであり、前記第１の材料の比重が１立方センチメートル当たり約０．８グラムである、請求項１４に記載の釣り用ルアー。
【請求項１６】
取付けステムを有する紐穴を備える取付け部をさらに備え、前記取付けステムが前記ルアー本体に固定される、請求項１に記載の釣り用ルアー。
【請求項１７】
前記ルアー本体の前記第１及び第２の本体部分の一方が、前記取付けステムの周りに成形される、請求項１６に記載の釣り用ルアー。
【請求項１８】
前記取付けステムが、前記ルアー本体の前記第１及び第２の本体部分の一方にねじ込まれる、請求項１６に記載の釣り用ルアー。
【請求項１９】
前記ルアー本体が中実の構造を有する、請求項１に記載の釣り用ルアー。
【請求項２０】
釣り用ルアーであって、
ａ）概ね球形の本体であって、
ｉ）第１の材料から製造された第１の部分と、
ｉｉ）前記第１の部分と一体形成された第２の部分であって、前記第２の部分が前記第１の材料とは異なる第２の材料から製造され、前記第２の材料が前記第１の材料の比重よりも少なくとも２倍大きな比重を有し、前記第２の材料が、前記釣り用ルアーの選択された所定の重心をもたらす第２の部分と、
を含む概ね球形の本体と、
ｂ）前記球形の本体の中へ成形されたフック及び紐穴であって、前記釣り用ルアーの使用中に、前記フックが所定の角度で前記球形の本体から概ね上方に延在するように、前記フックが前記第２の部分に関連して前記球形の本体から延在するフック及び紐穴と、
を備える釣り用ルアー。
【請求項２１】
釣り用ルアーであって、
ａ）概ね細長い餌魚本体であって、前記細長い本体が、後方本体部分と一体形成された前方本体部分を含み、前記後方本体部分が第１の材料から製造され、前記前方本体部分が前記第１の材料とは異なる第２の材料から製造され、前記第２の材料が前記第１の材料の比重よりも少なくとも２倍大きな比重を有する概ね細長い餌魚本体と、
ｂ）前記細長い餌魚本体の前方本体部分の前端に固定された紐穴と
を備え、
ｃ）前記前方本体部分の前記第２の材料によって、前記細長い餌魚本体が使用中に潜るようになる、
釣り用ルアー。
【請求項２２】
釣り用ルアーを製造する方法であって、
ａ）ルアー本体の形状を規定する型キャビティを有する型を用意するステップと、
ｂ）２種類のみの材料のうちの第１の材料を前記型キャビティ内に配置するステップと、
ｃ）前記２種類の材料のうちの第２の材料を前記型キャビティ内に配置するステップであって、前記第２の材料が前記第１の材料の比重よりも少なくとも２倍大きな密度を有するステップと、
ｄ）機械的連結を介して前記２種類の材料を一体形成するか、あるいは前記２種類の材料を共に融着して、前記第１の材料から製造された第１の本体部分と、前記第２の材料から製造された第２の本体部分とを有するルアー本体を形成するステップと、
を含み、
ｅ）前記第２の材料を配置する前記ステップが、結果として得られるルアー本体が水中で特定の所望の動きをもたらす質量中心を有するように、前記第２の材料を前記型キャビティ内の所定位置に配置することを含む、
方法。
【発明の詳細な説明】
【技術分野】
【０００１】
関連出願の相互参照
本出願は、米国企業Ｗｉｌｄ  Ｒｉｖｅｒ  Ｃｏｎｓｕｌｔｉｎｇ  Ｇｒｏｕｐ、ＬＬＣ（米国を除くすべての国の指定に関する出願人）、及び米国市民Ｋｕｒｔ  Ｅ．Ｈｅｉｋｋｉｌａ、米国市民Ｒｏｄｎｅｙ  Ｋ．Ｗｉｌｌｉａｍｓ、及び米国市民Ｊｏｈｎ  Ｓ．Ｋｒｏｌｌ（米国のみの指定に関する出願人）の名称において、２００９年１２月２３日にＰＣＴ国際特許出願として出願されており、２００８年１２月２４日に出願された米国仮特許出願第６１／１４０，６８０号明細書に対する優先権を主張し、その内容は参考として本出願に組み込まれている。
【０００２】
本発明の開示は、一般に、屋外スポーツ産業に使用するための装置、及びこのような装置に関連する様々な方法に関する。より詳しくは、本開示は、釣り用ルアー、及び釣り用ルアーの使用及び製造に関連する様々な方法に関する。
【背景技術】
【０００３】
釣り用ルアーの製造業者は、魚に対し感覚的な誘惑を生じさせるルアーを設計しようと努力している。魚は、水中の餌魚の動きのような動きに引き付けられることが多い。したがって、従来のルアーの中には、餌魚が自然に動くであろう動き方と同様に水中で動くように設計されてきたものもある。水中のこのような動きを得るために、ルアーは異なる重み付けの領域を備えるように設計されてきた。このように重み付けされたルアーを作る製造工程は、おもりをルアーに物理的に取り付けることを含み、例えば、１つの従来の方法は、ルアーに穴を開け、鉛製のおもりを穴に挿入し、鉛製のおもりをルアー穴内に固定するために接着剤を適用することを含んでいる。この方法は、時間がかかり、個々のルアーの間の望ましくない偏差（例えば、重量の偏差又は重量の分布／重心の偏差）をもたらすことがある。一般に、従来の釣り用ルアー、及び釣り用ルアーの製造方法は、改良することができる。
【発明の概要】
【発明が解決しようとする課題】
【０００４】
本発明の開示の一形態は、異なる材料の少なくとも２つの部分から製造されたルアー本体を有する釣り用ルアーに関する。材料の一方は、他方の材料よりも少なくとも１．５倍大きな密度を有する。一実施形態では、本体の各部分の所望の密度は、一方の部分の密度を低減できる材料を含むことによって達成することができ、他方で、密度を大きくする材料を他方の部分に加えることができる。ルアー本体は、製造業者がルアーの重心を選択的に配置して、水中で所望の動き又は向きを達成することを許容する成形工程で製造される。本発明の本体は、熱成形技術によって又は機械組立技術によって製造することができる。
【０００５】
望ましい製品特徴又は方法の様々な例が、続く説明に部分的に述べられており、また部分的に説明から明らかになるか、あるいは本開示の様々な形態を実施することによって習得可能である。本開示の形態は、別個の実施形態に開示された特徴の組み合わせを含む個々の特徴ならびに特徴の組み合わせに関し得る。上記の一般的な説明及び以下の詳細な説明は、単に説明のためのものであり、請求された発明を限定するものでないと理解すべきである。
【図面の簡単な説明】
【０００６】
【図１】開示した原理による可変密度の複合材料構造を有する釣り用ルアーの一実施形態の斜視図である。
【図２】図１の釣り用ルアーの製造に使用される部分的な型の斜視図である。
【図３】開示した原理による可変密度の複合材料構造を有する釣り用ルアーの他の実施形態の斜視図である。
【発明を実施するための形態】
【０００７】
次に、添付図面に示す本発明の開示の例示的な形態について詳細に参照する。可能な限り、同一又は同様の部分を指すために、同一の参照番号が図面全体にわたって使用される。
【０００８】
図１は、開示される原理に従う成形された釣り用ルアー１０の一実施形態を示している。成形された釣り用ルアー１０は、所定の選択された重心のため水中で特定の動き及び／又は向きを有するように設計される。釣り用ルアーの所定の選択された重心は、成形工程中に構成される。既存のルアー構造におもりを取り付ける従来の方法、及びこのような方法と関連するコスト及び偏差の問題が排除される。開示したルアーの製造方法は、その代わりに、水中で特定の動き及び／又は向きをもたらすより精密な重心を有する低コストのルアーの製造を許容する。さらに詳細に説明するように、開示した本発明の方法は、製造業者が、水中で異なる特定の動き及び向きを有する釣り用ルアーの実施形態を製造できるように、ルアーの重心の配置を「予め決定する」及び／又は「選択する」ことを許容する。さらに、本発明の方法は、従来の鉛鋳造のルアー製造で又は木製ルアーの製造で達成できない形状を有するルアーの製造を可能にする。独自の形状と、ルアーの重心の選択された配置とを組み合わせる機能は、水中で所望のルアーの動きを生じさせる際により大きな柔軟性及び自由をルアー設計者に提供する。
【０００９】
なお図１を参照すると、図示した釣り用ルアー１０は、一般に、ルアー本体１２を含む。ルアー本体１２は、形成された第１及び第２の本体部分１４、１６を含む。「ルアー本体」１２は、ブラシ、ワイヤ、フック、又は紐穴のような様々な挿入部及びハードウェアを埋込みし得るか、あるいは様々な挿入部及びハードウェアを固定し得る本体である。ルアー本体１２を形成する本体部分１４、１６は、したがって、ルアー本体１２内に埋め込まれるか又は固定される挿入部及びハードウェアを排除する（例えば、ブラシ、ワイヤ、フック、紐穴、機能的な取付け要素、装飾構成要素又は餌を取り付けるために使用される他の代わりの取付け要素、ライン、又はフックを排除する）。我々の直近の設計では、我々は、噛合連結特徴部を有する本体部分を形成し、次に本体部分を最終の本体に共にはめ込むことによって、機械的連結を介して一体形成されたルアー本体を実際に得ている。最近のポリマーは熱融着しない。我々の以前の製品は熱融着する。両方とも、一体形成されたルアー本体の製造に実行可能な手段を提供する。
【００１０】
中実ルアー本体１２は、第１の本体部分１４を規定する第１の選択された材料２４と、第２の本体部分１６を規定する第２の選択された材料２６とから構成される。第２の材料２６は第１の材料２４とは異なる。図示した実施形態では、ルアー本体１２は、第１及び第２の本体部分１４、１６を含み、したがって、第１及び第２の材料２４、２６のみから製造される。
【００１１】
代替実施形態では、中実ルアー本体１２は、２つより多くの形成された本体部分を含んでもよく、各々の本体部分は、他方の本体部分とは異なる材料によって規定される。例えば、他方の本体部分によって生じる運動方向とは異なる方向の水中の動きを生じさせる質量中心を設けるために、第３の本体部分を使用することができる。
【００１２】
図１の実施形態に戻って参照すると、第１及び第２の材料２４、２６はルアー本体１２を一体形成するが、各々の材料は、共通領域に共に混合され、組み合わせられるか、又は配置されることと対照的に、本体の特定の領域を形成する。これらの特定の領域は、融着領域又は境界面において共に相互接続され、ここで２種類の材料が共に融着し得るか、あるいは１種類の材料を他の材料の周りに注入することを介して、機械的連結を２種類の材料の間に生じさせ得る。融着領域又は境界面において、一方又は両方の本体部分からの材料のいくらかの部分が、他方の本体部分の材料と組み合わせられて、特定の領域又は本体部分の間に相互接続を形成する。理解できるように、２種類の材料が共に融着する融着領域の体積は、各々の材料が形成する特定の領域の体積と比較して著しく小さい。
【００１３】
第１の本体部分１４の第１の材料２４は、いくつかの密度低減技術を使用して密度を低減させることができる。第１の材料は発泡材料から製造することができる。形成された本体は、最終の所望の密度に材料を取り除くために機械加工できる。１つの有効な技術は、密度低減材料を本体に含むことである。このような密度低減材料は、例えば、中空ガラス球を含むことができる。中空ガラス球は、ポリマー化合物への添加物、例えば、改質剤、強化剤、剛性剤及びフィラーとして産業で広く使用されている。これらの球は、例えば高圧スプレー、混練、押出又は射出成形によるポリマー化合物のその後の加工中に粉砕又は破壊を回避する程度に十分に強い。ガラス球の適切な分布は、ポリマー／ガラス球調合物の適切な粘度を維持することによって達成される。さらに、これらの球は、浸出又はそれらの関連するポリマー化合物との他の化学的相互作用に耐性があることが望ましい。加熱によって中実ガラス粒子を中空ガラス球に膨張させる方法は、周知である。例えば、米国特許第３，３６５，３１５号明細書を参照されたい。ガラスは粒子状の形態に砕かれ、次に加熱されて粒子を可塑性にさせ、またガラス内のガス状材料が発泡剤として働いて、粒子を膨張させる。加熱及び膨張中に、ガス流を粒子の下に導くか、又は粒子が加熱ゾーンを通して自由に落下することを可能にすることによって、粒子は懸濁状態に維持される。硫黄、又は酸素及び硫黄の化合物は、原理的な発泡剤として機能する。いくつかの因子が、中空ガラス球の密度、サイズ、強度、化学的耐久力及び収率（中空になる加熱された粒子の重量又は体積％）に影響する。これらの因子は、ガラスの化学的組成、炉内に供給される粒子のサイズ、粒子を加熱する温度及び持続時間、及び粒子が加熱中にさらされる化学的雰囲気（例えば、酸化又は還元）を含む。
【００１４】
中空ガラス球の品質及び収率を高める点で問題があった。一つの理由は、中空ガラス球を形成するために使用されるガラス内のシリカ（ＳｉＯ2）の割合が、６５〜８５重量パーセントであるべきこと、及び６０〜６５％未満のＳｉＯ2の重量パーセントが中空球の収率を大幅に低下させると信じられてきたことである。
【００１５】
本発明の釣り用ルアー１０の製造に使用する際に、中空ガラス球は、約０．１ｇ／ｃｍ3〜約０．６ｇ／ｃｍ3又は約０．１２ｇ／ｃｍ3〜約０．４ｇ／ｃｍ3の平均密度を有し、中実ガラス粒子を加熱することによって調製される。特別な所望の平均密度を有する中空ガラス球の製品に関し、最大の平均強度を生じる製品を構成する最適な球の粒子サイズ範囲がある。１つのこのような球のサイズ範囲は、１０μｍ〜１２５μｍである。
【００１６】
商業的に使用されるガラス球は、中実ガラス球及び中空ガラス球の両方を含むことができる。炉内で加熱された粒子のすべては膨張せず、大部分の中空ガラス球製品は、中空球を中実球から分離することなく販売される。
【００１７】
第２の本体部分１６の第２の材料２６は、密度を高めることができる材料、例えば、鉛、スズ、ビスマス、ステンレス鋼、及びタングステンを含むことができる。開示した釣り用ルアー１０の異なる本体部分を製造するために使用かつ利用できるこのような材料の成形と関連する他の材料及び製造技術が、米国仮特許出願第６０／０２２，０１６号明細書及び米国特許出願第１０／９８８，２１４号明細書に記載されており、それらの出願は参考として本出願に組み込まれている。選択された材料に発泡剤をさらに組み込んで、特定の比重又は密度を有する本体部分を得ることができる。さらに、比較的大きな空隙空間を境界面に生じさせて、独自の泳ぎ動作を生じさせてもよい。
【００１８】
一実施形態では、釣り用ルアー１０の第２の材料２６は、第１の材料２４の比重又は密度よりも少なくとも１．５倍大きな比重又は密度を有する。他の実施形態では、釣り用ルアー１０の第２の材料２６は、第１の材料２４の比重又は密度よりも少なくとも２倍大きな比重又は密度を有する。図１の例示した実施形態では、中実ルアー本体１２は概ね球形の形状を有する。より大きな比重を有する第２の本体部分１６は、球形のルアー本体１２のルアー先導部分を規定し、第１の本体部分１４はルアー追従部分を規定する。ルアー先導部分（すなわち、１６）は、ルアー追従部分（すなわち、１４）の沈降速度よりも大きな沈降速度を有し、水中で特定の動き及び向きを生じる。
【００１９】
図１の球形のルアー本体１２は、１立方センチメートル当たり約０．３〜１２．０グラムの全体的な比重を有する。第２の本体部分１６は、１立方センチメートル当たり少なくとも約５．０グラムの比重を有し、一方、第１の本体部分１４は、１立方センチメートル当たり約３．３グラム未満、１立方センチメートル当たり２．０グラムの比重、例えば、１立方センチメートル当たり約０．２〜１．０グラムの比重を有する。一実施形態では、第２の本体部分１６の第２の材料２６の比重は、１立方センチメートル当たり約７．６グラムであり、第１の本体部分１４の第１の材料２４の比重は、１立方センチメートル当たり約０．８グラムである。他の実施形態では、第１の材料２４の比重は、木の浮揚特性を模倣するために１立方センチメートル当たり約０．４グラムである。
【００２０】
したがって、本発明の釣り用ルアー１０は、可変密度のルアー本体１２（例えば、二重密度のルアー本体）を有する。例えば、従来の鉛製ジグは、ジグの所定の形状又は本体内に可変密度を有しない。同様に、プラスチック製のクランク餌、金属製スプーン、及び人工の木製小魚は、可変密度を有する中実本体を有しない。
【００２１】
なお図１を参照すると、釣り用ルアー１０は、いくつかの異なる挿入部又はハードウェアを含むことができる。例えば、本発明の釣り用ルアー１０は、紐穴２２及びステム２８を有する取付け部１８を含む。以下にさらに詳細に説明するように、ルアー本体の第１及び第２の本体部分１４、１６の少なくとも一方を取付けステム２８の周りに成形することによって、取付け部１８をルアー本体１２に固定することができる。代わりに、取付けステム２８を、ルアー本体１２の第１及び第２の本体部分１４、１６の一方にねじ込むことができる。同様に、フック２０をルアー本体１２に固定することができる。図示した実施形態では、フック２０は、ルアー本体１２の第１及び第２の本体部分１４、１６の少なくとも一方をフック２０のシャンク３０の周りに成形することによって固定される。各々の材料をフック挿入部の周りに成形することによって、一体形成された釣り用ルアーの強度及び完全性を高めることができる。
【００２２】
一般に、釣り用ルアー１０は重量及び体積を有する。釣り用ルアー１０の重量の大部分は、ルアー本体１２の第１及び第２の本体部分１４、１６の組み合わせ重量によって規定される。さらに、図示した実施形態では、釣り用ルアー１０の重量の大部分は、ルアー本体１２の第２の本体部分１６の重量によって規定される。釣り用ルアー１０の体積の大部分は、ルアー本体１２の第１及び第２の本体部分１４、１６によって規定される。
【００２３】
本発明の釣り用ルアー１０はまた、密度を有する。釣り用ルアー１０の密度は、ルアー１０の使用中に一定のままである。すなわち、釣り用ルアーは、釣り用ルアーの密度を変更するように水で満たされるか又は水を吸収する本体を有せず、さもなければ調整可能な密度を有しない。その代わりに、密度は、上述のように、ルアー本体１２の選択された第１及び第２の材料２４、２６と対応して製造時点に選択されかつ予め決定される。
【００２４】
これにより、さらに、本発明の開示は、釣り用ルアーを製造する方法に関する。本方法は、独自のルアーの動き（釣りのときの水中の沈降速度、動き、及び向きを含む）を得るために、所望の比重を有する材料を釣り用ルアーの型内の戦略的な位置に配置することを含む。一方法では、前述したように、溶融成形技術を使用して、より低い及びより高い密度の材料のセグメント又は領域を有する複合ルアー本体が創出される。より低い及びより高い密度の材料は、異なる浮力を有し、ルアー本体内の密度分布に応じて広範囲のルアー動作を得るために利用される。例えば、ルアーは、前部に重く重み付けして後部に高い浮力を持たせるか、後部に重く重み付けして前部に高い浮力を持たせるか、あるいは底部に重く重み付けして頂部に高い浮力を持たせることができる、等々。
【００２５】
次に図２を参照すると、図１の釣り用ルアー１０の製造に使用される型３４の一部分が示されている。型３４は複数の型キャビティ（充填されて示されている）を有する。型キャビティは、ルアー本体１２の形状を規定する。
【００２６】
一方法では、第１及び第２の材料２４、２６の一方の材料の所定量が、型キャビティ内に配置される（例えば、注入又は導入される）。配置された材料の硬化が許容され、型３４が開放され、硬化した配置物が取り除かれる。次に、硬化した配置物の望ましくない部分が、取り除かれ（例えば、切り取られるか又はトリミングされる）、改変された硬化した配置物が型キャビティに戻される。次に、第１及び第２の材料２４、２６の他方が型キャビティ内に配置され、この場合、２種類の材料が互いに融着して、ルアー本体１２を形成する。
【００２７】
他の製造方法では、型キャビティを２つの領域に分割するために、分離器が型キャビティ内に配置される。第１及び第２の材料２４、２６の一方の材料の所定量が、２つの領域の一方に配置される。配置された材料の硬化が許容され、型３４が開放され、分離器が取り除かれる。次に、第１及び第２の材料２４、２６の他方が型キャビティ内に配置され、この場合、２種類の材料が共に融着して、ルアー本体１２を形成する。同様に、２つの型を利用することができ、第１の型により、第１の材料のみのために適切な充填領域が設けられる。次に、成形された第１の材料が、第１の型から取り除かれ、第２の型内に配置される。次に、第２の材料が第２の型に注入されて、ルアーの全体形状を完成する。この方法を使用して機械的連結を設計することができ、この場合、第２の材料は冷却すると硬くなり、他方の材料から切り離せなくなる。
【００２８】
なお他の製造方法では、第１及び第２の材料２４、２６の一方の材料の所定量が、型キャビティ内に配置される。配置された材料は、僅かに硬化することが許容され得る。第１及び第２の材料２４、２６の他方の材料の所定量が型キャビティ内に配置される。第１及び第２の材料は、共に融着してルアー本体１２を形成する。
【００２９】
本発明の開示に従って使用できる製造技術のさらなる詳細は、米国仮特許出願第６０／０２２，０１６号明細書に記載されており、この出願は参考として前もって本出願に組み込まれている。
【００３０】
図２に示したように、フック２０及び取付け部１８のような選択された挿入部は、ルアー本体１２の第１及び第２の本体部分１４、１６の一方又は両方が挿入部の周りに形成するように、型キャビティに対し配置することが可能である。この特定の配置では、フック２０は、釣り用ルアー１０の使用中に、フックが図１に示したような角度Ａでルアー本体から概ね上方に延在するように、ルアー本体１２から延在するように配置される。図１は、ルアー１０が水中に吊設されるときにフック２０が延在する特定の角度Ａを示している。特定の角度Ａは、ルアー１０の重心、したがって、第１の材料２４に対し第２の材料２６の選択された配置及び量に左右される。図示した実施形態では、特定の角度Ａは約３０〜６０度であり、より詳しくは、垂直面に対し約４５度である。
【００３１】
ルアー本体１２の形成後（挿入部あり又はなし）、ルアー本体１２にその後の加工を行ってもよく、この場合、外層３８がルアー本体１２に適用される（外層３８は部分的かつ概略的に図１に示されている）。外層３８は、ルアー本体１２の一部分のみを覆う／被覆してもよく、あるいはルアー本体の全体を覆う／被覆してもよい。外層は、例えば、環境的な要素及び／又は摩耗からルアー本体を保護する保護被覆を含んでもよく、あるいは魚を引き付ける色を有するペイント層を含んでもよい。
【００３２】
釣り用ルアー１０を製造する本発明の方法の一形態は、釣り用ルアーの各々が水中で同一の所望の動き及び向きをもたらすたくさんの釣り用ルアーをより精密にかつより正確に製造する能力である。例えば、より密度の高い第２の材料２６の配置中、材料は、結果として得られるルアー本体１２が水中で所望の動き及び向きを生じさせる質量中心を有するように、キャビティ内の所定位置に配置される。結果として得られるルアー本体１２の材料２４、２６の量及び位置は、選択かつ制御することができ、これによって、本発明の成形工程は従来のルアー組立工程と関連する偏差を排除する。
【００３３】
他の形態では、開示した本発明の方法は、製造業者が広範囲のルアー設計を創出することを許容する。すなわち、本発明の可変密度の成形方法は、製造業者が、重心を創出すべき戦略的な位置を選択することによって、及び製造業者が、異なる密度を有する多種多様な材料を利用することを可能にすることによって、設計を適応させることを可能にする。このことは、成形を介して独自の形状を創出する機能と組み合わせて、ルアー設計の創出におけるより大きな柔軟性及び自由を製造業者に提供する。
【００３４】
一般に、高密度及び低密度の材料を１つの型に融着する本発明の方法は、可変密度のルアー本体を得る費用効果的かつ効率的な方法を提供し、さらに、製造業者が、より大きな精度で、所定のルアー本体の形状内の重力中心を戦略的に選択しかつ配置することを可能にする。理解できるように、本発明の方法はまた、上述の特徴を有するルアーの製造業者のために製造速度を高める。さらに、ポリマー熱可塑性樹脂材料は、特に曲げモジュラス又は剛性において、鉛のような従来のルアー材料とは異なる物理的特性を有する。例えば、ルアーの製造におけるポリマー熱可塑性樹脂材料の利用は、このような従来の材料では不可能な．形状（フィン及び他の突出部）の提供を可能にする。
【００３５】
次に図３を参照すると、成形された釣り用ルアー１００の他の実施形態が示されている。成形された釣り用ルアー１００は、所定の選択された重心のため水中で特定の動きを有するように設計される。特に、釣り用ルアー１００は、一般に、第１の選択された材料１２４から構成された中実ルアー本体１１２を含み、中実ルアー本体は、第１の本体部分１１４と、第２の本体部分１１６を規定する第２の選択された材料１２６とを規定する。第２の材料１２６は第１の材料１２４とは異なる。図示した実施形態では、ルアー本体１１２は、第１及び第２の本体部分１１４、１１６を含み、したがって、第１及び第２の材料１２４、１２６のみから製造される。
【００３６】
釣り用ルアー１００の第１及び第２の材料１２４、１２６は、前述したような密度及び密度差を有する同一の材料を含むことができる。この特定の実施形態では、中実ルアー本体１１２は、細長い餌魚形状を有する。「餌魚」形状とは、ルアー本体１１２が、捕食性の魚、特にゲームフィッシュを引き付けるための餌として使用される小さな魚のように形成されることを意味する。海の餌魚の例は、アンチョビー、サヨリ及びアジを含む。真水の餌魚は、ヒメハヤ又はコイ科（Ｃｙｐｒｉｎｉｄａｅ）、サッカー科（Ｃａｔｏｓｔｏｍｉｄａｅ）、タップミノー又はメダカ科（Ｃｙｐｒｉｎｏｄｏｎｔｉｄａｅ）、シャッド科（Ｃｌｕｐｅｉｄａｅ）、カジカ科（Ｏｓｔｅｉｃｈｔｈｙｅｓ）、又はマンボウ科（Ｃｅｎｔｒａｒｃｈｉｄａｅ）の任意の魚を含む。異なる種類の餌魚に類似している他の餌魚の形状の本体を使用することができる。
【００３７】
図示した実施形態では、より大きな比重を有する第２の本体部分１１６は、餌魚のルアー本体１１２のルアー先導部分を規定し、第１の本体部分１１４はルアー追従部分を規定する。ルアー先導部分（すなわち、１１６）は、ルアー追従部分（すなわち、１１４）の沈降速度よりも大きな沈降速度を有し、水中で特定の動き及び向きを生じる。特に、釣り用ルアー１００は、水中で前方へ潜るような動きと向きを有する。
【００３８】
なお図３を参照すると、釣り用ルアー１００は、いくつかの挿入部又は取付け部１１８ａ〜ｄを含む。取付け部１１８ａ〜ｄの各々は、紐穴１２２及びステム１２８を含む。前述したように、ルアー本体の第１及び第２の本体部分１１４、１１６の少なくとも一方を取付けステム１２８の周りに成形することによって、取付け部１１８をルアー本体１１２に固定することができる。代わりに、取付けステム１２８を、ルアー本体１１２の第１及び第２の本体部分１１４、１１６の一方にねじ込むことができる。図示した実施形態では、例えば三重フックを固定するために、後部及び底部の取付け部１１８ａ〜ｃを使用することができ、ライン及び／又はリーダを取り付けるために、前部取付け部１１８ｄを使用することができる。
【００３９】
前の実施形態と同様に、釣り用ルアー１００は重量及び体積を有する。釣り用ルアー１００の重量の大部分は、ルアー本体１１２の第１及び第２の本体部分１１４、１１６の組み合わせ重量によって規定される。さらに、釣り用ルアー１００の体積の大部分は、ルアー本体１１２の第１及び第２の本体部分１１４、１１６によって規定される。
【００４０】
本発明の釣り用ルアー１００はまた、密度を有する。釣り用ルアー１００の密度は、ルアー１００の使用中、一定のままである。すなわち、釣り用ルアーは、釣り用ルアーの密度を変更するように水で満たされるか又は水を吸収する本体を有せず、さもなければ調整可能な密度を有しない。その代わりに、密度は、上述のように、ルアー本体１１２の選択された第１及び第２の材料１２４、１２６と対応して製造時点に選択されかつ予め決定される。
【００４１】
これにより、本発明の釣り用ルアー１００は、以前に記載した成形工程によって製造することができ、この場合、第１及び第２の材料１２４、１２６の所定量が型キャビティ内に配置される。この所定量は、ルアーの重心が水中で所望の動きをもたらすように、型キャビティ内に戦略的に配置される。
【００４２】
ここに記載した本発明のルアー本体は、中実ルアー本体に向けられる。開示した原理に従って、例えば内部にガラガラを含み得る中空体を製造できることが考えられる。
【００４３】
上記の明細書は本発明の完全な説明を提供する。本発明の精神と範囲から逸脱することなく、本発明の多くの実施形態を製造できるので、本発明のある形態は、以下に添付する特許請求の範囲に依拠する。
【図１】
2012513756.tif 000003
【図２】
2012513756.tif 000004
【図３】
2012513756.tif 000005
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
釣り用ルアーであって、
ａ）一体形成された第１及び第２の本体部分を含むルアー本体であって、前記第１の本体部分が第１の材料から製造され、前記第２の本体部分が前記第１の材料とは異なる第２の材料から製造され、前記第２の材料が前記第１の材料の比重よりも少なくとも１．５倍大きい比重を有するルアー本体を備え、
ｂ）前記釣り用ルアーの密度は使用中一定のままである、釣り用ルアー。
【請求項２】
前記ルアー本体の少なくとも一部分を覆う外層をさらに備える、請求項１に記載の釣り用ルアー。
【請求項３】
前記外層がペイント層である、請求項２に記載の釣り用ルアー。
【請求項４】
前記釣り用ルアーがある体積を規定し、前記体積の大部分が前記第１及び第２の本体部分によって規定され、前記ルアー本体が、１立方センチメートル当たり約０．３〜１２．０グラムの比重を有する、請求項１に記載の釣り用ルアー。
【請求項５】
前記ルアー本体が概ね細長い形状を有し、前記細長いルアー本体の前端が前記第２の本体部分によって規定され、前記細長いルアー本体の後端が前記第１の本体部分によって規定される、請求項１に記載の釣り用ルアー。
【請求項６】
前記ルアー本体が、１立方センチメートル当たり約３．３グラム未満の比重を有する概ね球形の形状の第１の本体部分を有し、前記第２の本体部分が、１立方センチメートル当たり約５．０グラムよりも大きな比重を有する、請求項１に記載の釣り用ルアー。
【請求項７】
前記第２の本体部分が先導ルアー部分を規定し、前記第１の本体部分が追従ルアー部分を規定し、前記先導ルアー部分が前記追従ルアー部分の沈降速度よりも大きな沈降速度を有する、請求項１に記載の釣り用ルアー。
【請求項８】
前記第２の本体部分が、１立方センチメートル当たり少なくとも約５．０グラムの比重を有する、請求項４に記載の釣り用ルアー。
【請求項９】
前記第２の材料の比重が、前記第１の材料の比重よりも少なくとも２倍大きい、請求項１に記載の釣り用ルアー。
【請求項１０】
前記第２の材料の比重が、前記第１の材料の比重よりも少なくとも３倍大きい、請求項１に記載の釣り用ルアー。
【請求項１１】
前記第２の材料が、１立方センチメートル当たり少なくとも約５．０グラムの比重を有し、前記第１の材料が、１立方センチメートル当たり約２．０グラム未満の比重を有する、請求項１に記載の釣り用ルアー。
【請求項１２】
取付けステムを有する紐穴を備える取付け部をさらに備え、前記取付けステムが前記ルアー本体に固定される、請求項１に記載の釣り用ルアー。
【請求項１３】
釣り用ルアーであって、
ａ）概ね球形の本体であって、
ｉ）第１の材料から製造された第１の部分と、
ｉｉ）前記第１の部分と一体形成された第２の部分であって、前記第２の部分が前記第１の材料とは異なる第２の材料から製造され、前記第２の材料が前記第１の材料の比重よりも少なくとも２倍大きな比重を有し、前記第２の材料が、前記釣り用ルアーの選択された所定の重心をもたらす第２の部分と、を含む概ね球形の本体と、
ｂ）前記球形の本体の中へ成形されたフック及び紐穴であって、前記釣り用ルアーの使用中に、前記フックが所定の角度で前記球形の本体から概ね上方に延在するように、前記フックが前記第２の部分に関連して前記球形の本体から延在するフック及び紐穴と、を備える釣り用ルアー。
【請求項１４】
釣り用ルアーであって、
ａ）概ね細長い餌魚本体であって、前記細長い本体が、後方本体部分と一体形成された前方本体部分を含み、前記後方本体部分が第１の材料から製造され、前記前方本体部分が前記第１の材料とは異なる第２の材料から製造され、前記第２の材料が前記第１の材料の比重よりも少なくとも２倍大きな比重を有する概ね細長い餌魚本体と、
ｂ）前記細長い餌魚本体の前方本体部分の前端に固定された紐穴とを備え、
ｃ）前記前方本体部分の前記第２の材料によって、前記細長い餌魚本体が使用中に潜るようになる、釣り用ルアー。
【請求項１５】
釣り用ルアーを製造する方法であって、
ａ）ルアー本体の形状を規定する型キャビティを有する型を用意するステップと、
ｂ）２種類のみの材料のうちの第１の材料を前記型キャビティ内に配置するステップと、
ｃ）前記２種類の材料のうちの第２の材料を前記型キャビティ内に配置するステップであって、前記第２の材料が前記第１の材料の比重よりも少なくとも２倍大きな密度を有するステップと、
ｄ）機械的連結を介して前記２種類の材料を一体形成するか、あるいは前記２種類の材料を共に融着して、前記第１の材料から製造された第１の本体部分と、前記第２の材料から製造された第２の本体部分とを有するルアー本体を形成するステップと、を含み、
ｅ）前記第２の材料を配置する前記ステップが、結果として得られるルアー本体が水中で特定の所望の動きをもたらす質量中心を有するように、前記第２の材料を前記型キャビティ内の所定位置に配置することを含む、方法。
【国際調査報告】
2012513756.tif 000006
2012513756.tif 000007
2012513756.tif 000008